(57)【要約】【課題】ＬＥＤアレイ内のＬＥＤが故障した場合でも、映像の色度・輝度の変化を抑制できる投射型映像表示装置を提供することを目的とする。【解決手段】投射型映像表示装置は、６個のＬＥＤからなるＬＥＤアレイである光源部２０，３０，４０を所定の各色ごとに備えた光源と、各光源部２０，３０，４０を、外部から入力される入力映像信号のタイミングに基づいて時分割駆動する光源制御部７と、各光源部２０，３０，４０の出射光を、入力映像信号に基づいて変調し、スクリーン５に投射する映像表示デバイス３とを備え、光源制御部７は、各光源部２０，３０，４０の時分割駆動の各駆動において、６個のＬＥＤのうち３個のＬＥＤのみを点灯させるように制御している。【選択図】図１
2013167776.tif 000002
【特許請求の範囲】
【請求項１】
ｍ個（ｍは２以上の整数）のＬＥＤからなるＬＥＤアレイを所定の各色ごとに備えた光源と、
各前記ＬＥＤアレイを、外部から入力される入力映像信号のタイミングに基づいて時分割駆動する光源制御部と、
各前記ＬＥＤアレイの出射光を、前記入力映像信号に基づいて変調し、スクリーンに投射する映像表示デバイスとを備え、
前記光源制御部は、各前記ＬＥＤアレイの時分割駆動の各駆動において、前記ｍ個のＬＥＤのうちｎ個（ｎ＜ｍの整数）のＬＥＤのみを点灯させるように制御する、投射型映像表示装置。
【請求項２】
前記光源制御部は、前記ｎ個のＬＥＤが前記ｍ個のＬＥＤに渡って順次に巡回するように、前記時分割駆動の各駆動における前記ｎ個のＬＥＤの点灯を制御する、請求項１記載の投射型映像表示装置。
【請求項３】
前記光源制御部は、前記ｎ個のＬＥＤの個数を可変制御することにより、前記スクリーンに投射される映像の輝度を制御する、請求項２記載の投射型映像表示装置。
【請求項４】
前記ＬＥＤの故障を検出する故障検出部をさらに備え、
前記光源制御部は、前記故障検出部が前記ＬＥＤの故障を検出した場合、前記ｍ個のＬＥＤから故障したｘ個（ｘ＜ｍの整数）のＬＥＤを除いたｍ−ｘ個のＬＥＤのうち前記ｎ個のＬＥＤのみを点灯させるように制御する、請求項１記載の投射型映像表示装置。
【請求項５】
前記光源制御部は、前記ｎ個のＬＥＤが前記ｍ−ｘ個のＬＥＤに渡って順次に巡回するように、前記時分割駆動の各駆動における前記ｎ個のＬＥＤの点灯を制御する、請求項４記載の投射型映像表示装置。
【発明の詳細な説明】
【技術分野】
【０００１】
本発明は、複数のＬＥＤから構成されるＬＥＤアレイを光源として用いた投射型映像表示装置に関する。
【背景技術】
【０００２】
近年、投射型映像表示装置では、従来のランプ光源に代わり発光ダイオード（以下「ＬＥＤ」と称す）の光源が使用されつつある。特にＤＭＤ（Digital Micromirror Device）を用いたＤＬＰ（Digital Light Processing、登録商標）方式の映像表示装置では、赤色光を発光するＬＥＤと、緑色光を発光するＬＥＤと、青色光を発光するＬＥＤとを用い、これら３色のＬＥＤを時系列に点灯させている（例えば特許文献１）。このような投射型映像表示装置には、輝度を上げるため、複数のＬＥＤで構成されるＬＥＤアレイを光源として用いたものがある。以下、赤色光を発光するＬＥＤアレイをＲ-ＬＥＤアレイ、緑色光を発光するＬＥＤアレイをＧ-ＬＥＤアレイ、青色光を発光するＬＥＤアレイをＢ-ＬＥＤアレイと称す。このような投射型映像表示装置では、ＬＥＤアレイを構成するＬＥＤごと、もしくは、複数のグループごとに駆動回路が設けられている。具体的には、例えば、Ｒ-ＬＥＤアレイが、６つのＬＥＤで構成されており、２つのＬＥＤで構成される３グループごとに駆動回路が設けられている。
【０００３】
上記映像表示装置では、入力映像信号は各色のデジタルデータ、すなわち赤色データ（以下「Ｒデータ」と称す）と、緑色データ（以下「Ｇデータ」と称す）と、青色データ（以下「Ｂデータ」と称す）とに変換され、これらの各色データに従ってＤＭＤが駆動されることによって３色の光に強度変調が施される。すなわち、Ｒデータに従って赤色光が強度変調され、Ｇデータに従って緑色光が強度変調され、Ｂデータに従って青色光が強度変調される。強度変調された３色の光は光合成手段と、投射レンズを通じてスクリーン等に投射され、これにより映像が表示される。
【先行技術文献】
【特許文献】
【０００４】
【特許文献１】特開２００５−３３１７０５号公報
【発明の概要】
【発明が解決しようとする課題】
【０００５】
上記映像表示装置において、例えば、Ｒ-ＬＥＤアレイ内の１つのＬＥＤが故障し、点灯不能になった場合、故障したＬＥＤの駆動回路は、ＬＥＤの駆動を停止させる。この場合、スクリーンに投射される映像は、赤色の輝度が低下することにより、色度・輝度が変化する。特に、投射型映像表示装置を複数台組み合わせて成るマルチビジョン投射型映像表示装置においては、ある投射型映像表示装置が投射する映像の色度・輝度の変化は、複数画面間の均一性や一体感を損なうことになる。
【０００６】
そこで、本発明は、ＬＥＤアレイ内のＬＥＤが故障した場合でも、映像の色度・輝度の変化を抑制できる投射型映像表示装置を提供することを目的とする。
【課題を解決するための手段】
【０００７】
本発明に係る投射型映像表示装置は、ｍ個（ｍは２以上の整数）のＬＥＤからなるＬＥＤアレイを所定の各色ごとに備えた光源と、各前記ＬＥＤアレイを、外部から入力される入力映像信号のタイミングに基づいて時分割駆動する光源制御部と、各前記ＬＥＤアレイの出射光を、前記入力映像信号に基づいて変調し、スクリーンに投射する映像表示デバイスとを備え、前記光源制御部は、各前記ＬＥＤアレイの時分割駆動の各駆動において、前記ｍ個のＬＥＤのうちｎ個（ｎ＜ｍの整数）のＬＥＤのみを点灯させるように制御するものである。
【発明の効果】
【０００８】
本発明によれば、各ＬＥＤアレイの時分割駆動の各駆動において、ｍ個のＬＥＤのうちｎ個のＬＥＤのみを点灯させるため、ＬＥＤアレイ内のＬＥＤの故障前と故障後において、点灯させるＬＥＤの個数が変わらないようにできる。これにより、ＬＥＤアレイ内のＬＥＤが故障した場合でも、ＬＥＤの故障前と故障後における映像の色度・輝度の変化を抑制することができる。
【図面の簡単な説明】
【０００９】
【図１】実施の形態に係る投射型映像表示装置の構成図である。
【図２】赤色光源部と赤色光源駆動回路の構成図である。
【図３】省電力モードにおいて正常時のＬＥＤの点灯タイミングを示すタイミングチャートの一部である。
【図４】省電力モードにおいて正常時のＬＥＤの点灯タイミングを示すタイミングチャートの残部である。
【図５】省電力モードにおいて赤色光源部のＬＥＤが故障した場合のＬＥＤの点灯タイミングを示すタイミングチャートの一部である。
【図６】省電力モードにおいて赤色光源部のＬＥＤが故障した場合のＬＥＤの点灯タイミングを示すタイミングチャートの残部である。
【図７】ＬＥＤの輝度の経時劣化を示すグラフである。
【発明を実施するための形態】
【００１０】
＜実施の形態＞
本発明の実施の形態について、図面を用いて以下に説明する。
【００１１】
＜投射型表示装置の構成＞
図１は、実施の形態に係る投射型映像表示装置の構成図である。投射型映像表示装置は、赤色光源部２０と、緑色光源部３０と、青色光源部４０と、映像表示デバイス３と、赤色光源駆動回路５０と、緑色光源駆動回路７０と、青色光源駆動回路８０と、光源制御部７と、光合成部２と、投射レンズ４と、スクリーン５と、映像入力部８と、信号処理部９と、制御処理部１０と、通信部１１と、操作手段１２とを備えている。
【００１２】
赤色光源部２０は、赤色（Ｒ）光を発する発光ダイオードアレイで構成され、６個（より一般的にはｍ個）の赤色（Ｒ）光を発する発光ダイオード(以下「Ｒ−ＬＥＤ」と称す)２１〜２６（図２、図３参照）で構成されている。緑色光源部３０は、緑色（Ｇ）光を発する発光ダイオードアレイで構成され、６個（より一般的にはｍ個）の緑色（Ｇ）光を発する発光ダイオード(以下「Ｇ−ＬＥＤ」と称す)３１〜３６（図３参照）で構成されている。青色光源部４０は、青色（Ｂ）光を発する発光ダイオードアレイで構成され、６個（より一般的にはｍ個）の青色（Ｂ）光を発する発光ダイオード(以下「Ｂ−ＬＥＤ」と称す)４１〜４６（図３参照）で構成されている。以下、各色発光ダイオードアレイを「ＬＥＤアレイ」と称す。赤色光源部２０、緑色光源部３０、青色光源部４０から出射した光は、ダイクロイックミラーで構成される光合成部２を経て、映像表示デバイス３へ入射される。なお、赤色光源部２０と緑色光源部３０と青色光源部４０が光源に相当する。
【００１３】
映像入力部８は、外部から入力された入力映像信号を信号処理部９へ出力する。信号処理部９は、映像入力部８を介して入力された入力映像信号を、映像表示デバイス３に必要な形式の映像データに信号変換してから、映像表示デバイス３へ出力する。
【００１４】
赤色光源駆動回路５０、緑色光源駆動回路７０、青色光源駆動回路８０は、光源制御部７からの光源制御信号に基づいて、赤色光源部２０、緑色光源部３０、青色光源部４０に対してそれぞれ駆動電流を供給することで、赤色光源部２０、緑色光源部３０、青色光源部４０を駆動する。
【００１５】
次に、赤色光源駆動回路５０の構成について説明する。ここで、赤色光源駆動回路５０と、緑色光源駆動回路７０と、青色光源駆動回路８０は同じ構成であるため、赤色光源駆動回路５０についてのみ説明する。図２は、赤色光源部２０と赤色光源駆動回路５０の構成図である。赤色光源部２０は、上記のとおりＬＥＤアレイで構成され、ＬＥＤアレイの光源駆動回路として定電流回路が例示されている。赤色光源駆動回路５０は、赤色光源部２０を構成するＲ−ＬＥＤ２１〜２６へ駆動電流を供給するＲ定電流回路５１〜５６と、Ｒ−ＬＥＤ２１〜２６による電圧降下を検出するＲ電圧検出部６１〜６６とで構成されている。
【００１６】
Ｒ定電流回路５１〜５６は、光源制御部７から出力される光源制御信号に基づいて、Ｒ−ＬＥＤ２１〜２６に対して駆動電流を供給する。Ｒ電圧検出部６１〜６６は、Ｒ−ＬＥＤ２１〜２６で生じた電圧降下を検出し、検出結果をＬＥＤ電圧検出情報として光源制御部７を介して制御処理部１０へ出力する。
【００１７】
光源制御部７は、各光源部２０，３０，４０の時分割駆動の各駆動において、６個のＬＥＤのうち３個（ｎ個）のＬＥＤのみを点灯させるように制御する。より具体的には、光源制御部７は、信号処理部９から映像表示デバイス３に映像データが入力されるタイミングと制御処理部１０による制御に基づいて、光源駆動回路５０，７０，８０に対して光源制御信号を出力することで、各ＬＥＤに対する点灯タイミングおよび供給電流を制御する。
【００１８】
また、光源制御部７は、Ｒ電圧検出部６１〜６６とＧ電圧検出部（図示省略）とＢ電圧検出部（図示省略）から入力されたＬＥＤ電圧検出情報を制御処理部１０へ出力する。
【００１９】
操作手段１２は、リモートコントローラまたは外部コンピュータなどで構成され、ユーザーの操作により投射型映像表示装置の動作モードを設定する。
【００２０】
制御処理部１０は、光源制御部７を介して、赤色光源部２０と緑色光源部３０と青色光源部４０から入力されたＬＥＤ電圧検出情報に基づいて、赤色光源部２０を構成するＲ−ＬＥＤ２１〜２６と、緑色光源部３０を構成するＧ−ＬＥＤ３１〜３６と、青色光源部４０を構成するＢ−ＬＥＤ４１〜４６の故障を検出する。
【００２１】
次に、制御処理部１０によるＬＥＤの故障検出について説明する。ＬＥＤは点灯する色および電流量により電圧降下が異なり、例えばＲ−ＬＥＤ２１〜２６が正常動作している場合の電圧降下が３〜５Ｖの場合、Ｒ電圧検出部６１〜６６では７〜９Ｖと検出される。すなわち、Ｒ−ＬＥＤ２１〜２６が正常に動作していると判定する範囲を７〜９Ｖと設定することで、Ｒ電圧検出部６１〜６６において設定範囲以上の電圧が検出された場合、当該ＬＥＤは短絡状態で故障していると判断される。一方、Ｒ電圧検出部６１〜６６において設定範囲以下の電圧が検出された場合、当該ＬＥＤは開放状態で故障していると判断される。
【００２２】
また、制御処理部１０は、操作手段１２から入力された操作信号を、通信部１１を介して受け取り、操作信号と、制御処理部１０によるＬＥＤの故障検出結果に基づいて、ＬＥＤを制御するための光源制御信号を光源制御部７に出力する。なお、Ｒ電圧検出部６１〜６６とＧ電圧検出部とＢ電圧検出部と制御処理部１０が、ＬＥＤの故障を検出する故障検出部に相当する。
【００２３】
映像表示デバイス３は、例えばＤＭＤ（Digital Micromirror Device）で構成され、信号処理部９から入力された映像データに基づいて、赤色光源部２０と、緑色光源部３０と、青色光源部４０の出射光を時分割（換言すれば時系列）で画素単位オン・オフ処理することにより変調し、投射レンズ４を介してスクリーン５に投射する。
【００２４】
＜投射型映像表示装置の動作＞
次に、図３および図４を用いて、光源部２０，３０，４０を構成するＬＥＤにおいて故障が発生していない正常時における投射型映像表示装置の動作について説明する。図３および図４は、省電力モードにおいて正常時のＬＥＤの点灯タイミングを示すタイミングチャートである。ここで、タイミングチャートは、図３および図４においてＡ１でつながっているものとする。
【００２５】
最初にユーザーは操作手段１２を介して、投射型映像表示装置の動作モードを設定する。ユーザーは、例えば動作モードとして、省電力モード、通常モード、輝度優先モードなどの中から１つのモードを設定することができる。省電力モードが選択された場合、各光源部２０，３０，４０のＬＥＤは、６個のうち、３個（より一般的にはｎ個）のみが同時に点灯するように制御される。
【００２６】
このとき、ＬＥＤアレイにおいて予め決められた位置の３個のＬＥＤのみを点灯させると、スクリーン５上で点灯している３個のＬＥＤに相当する部分が明るくなり、また、消灯している３個に相当する部分が暗くなるというようにスクリーン５上に輝度むらが生じる。光源制御部７は、映像データのタイミングに合わせて、点灯させる３個のＬＥＤが６個のＬＥＤに渡って順次に巡回するように、時分割駆動の各駆動における３個のＬＥＤの点灯を制御する。ここで、時分割の間隔が十分短いため（例えば、映像フレームの１／１０）輝度むらはユーザーには認識できない。
【００２７】
映像表示デバイス３は、赤色（Ｒ）データフィールドに赤色（Ｒ）画像、緑色（Ｇ）データフィールドに緑色（Ｇ）画像、青色（Ｂ）データフィールドに青色（Ｇ）画像を処理することにより、スクリーン５に映像を投射する。
【００２８】
ここでは、６０Ｈｚの１映像フレームが赤色（Ｒ）データフィールド、緑色（Ｇ）データフィールド、青色（Ｂ）データフィールドの順に各１０回で構成され、データフィールドに同期して、各色の光源部２０，３０，４０が点灯駆動される。さらにＲ，Ｇ，Ｂの各データフィールドでは６個のＬＥＤのうち３個のＬＥＤが順次選択され、６回のデータフィールドで、各ＬＥＤがそれぞれ３回点灯するように制御される。
【００２９】
次に、図５および図６を用いて、ＬＥＤ故障時における投射型映像表示装置の動作について説明する。ここでは、例として省電力モード時に、赤色光源部２０のうちのＲ−ＬＥＤ２３が故障した場合の動作について説明する。図５および図６は、赤色光源部２０のＬＥＤが故障した場合のＬＥＤの点灯タイミングを示すタイミングチャートである。ここで、タイミングチャートは、図５および図６においてＡ２でつながっているものとする。
【００３０】
制御処理部１０によって赤色光源部２０のＲ−ＬＥＤ２３が故障したことを検出されると、光源制御部７は、その検出結果に基づいて、Ｒ定電流回路５３に対してＲ−ＬＥＤ２３への駆動電流の供給を停止させるように制御する。その後、Ｒ−ＬＥＤ２３を点灯させることなく、図５および図６に示すように、６個（ｍ個）のＲ−ＬＥＤ２１〜２６から故障した１個（より一般的にはｘ個）のＲ−ＬＥＤ２３を除いた５個（ｍ−ｘ個）のＲ−ＬＥＤ２１，２２，２４，２５，２６を時分割で巡回して点灯させるタイミングへ移行する。光源制御部７は、３個のＲ−ＬＥＤが５個のＲ−ＬＥＤ２１，２２，２４，２５，２６に渡って順次に巡回するように、時分割駆動の各駆動における３個のＬＥＤの点灯を制御する。
【００３１】
このため、ＬＥＤの故障前と故障後において、同時に点灯するＬＥＤの個数は変わらない。Ｒデータフィールドで、故障したＲ−ＬＥＤ２３を除いた正常な５個のＲ−ＬＥＤ２１，２２，２４，２５，２６のうち３個のＲ−ＬＥＤのみが順次選択されて、５回のデータフィールドで、故障したＲ−ＬＥＤ２３を除くＲ−ＬＥＤ２１，２２，２４，２５，２６が各３回点灯するように制御される。
【００３２】
なお、図５および図６には示されていないが、緑色光源部３０のＧ−ＬＥＤ３１〜３６および青色光源部４０のＢ−ＬＥＤ４１〜４６については故障していないため、Ｇ，Ｂの各データフィールドでは、図３および図４に示すタイミングでＧ−ＬＥＤ３１〜３６およびＢ−ＬＥＤ４１〜４６は点灯するように制御される。また、緑色光源部３０のＧ−ＬＥＤ３１〜３６および青色光源部４０のＢ−ＬＥＤ４１〜４６において故障が検出された場合は、赤色光源部３０のＲ−ＬＥＤ２１〜２６において故障が検出された場合と同様に、図５および図６に示す制御が行われる。
【００３３】
ここで、ＬＥＤは経時変化により輝度低下が発生するが、６個のＬＥＤのうち予め決められた位置の３個のＬＥＤのみを点灯させて、ＬＥＤ故障時に、これまで点灯させていない別のＬＥＤを点灯させた場合、点灯する各ＬＥＤの輝度にバラつきが発生する。図７は、ＬＥＤの輝度の経時劣化を示すグラフである。図７に示すように、５万時間経過後、ＬＥＤの輝度は初期の６０％となる。例えば、５万時間経過後にＬＥＤが故障し、これまで点灯させていない別のＬＥＤを点灯させた場合、故障前と故障後におけるＬＥＤの輝度の変化は、（６０％＋６０％＋１００％）÷（６０％＋６０％＋６０％）＝１．２２２・・・のように計算され、約１．２２倍明るくなる。赤色光源部２０が、約１．２２倍明るくなったとすると、赤色光源部２０と緑色光源部３０と青色光源部４０の輝度比が変化し、その結果、スクリーン５に投射される映像の色度が変化することになる。
【００３４】
しかし、本実施の形態においてはＬＥＤの故障前に、３個のＬＥＤが６個のＲ−ＬＥＤ２１〜２６に渡って順次に巡回するように、時分割駆動の各駆動における３個のＬＥＤを点灯させているため、６個のＲ−ＬＥＤ２１〜２６の経時変化による輝度劣化はほぼ等しい。このため、赤色光源部２０において同時に点灯させているＬＥＤの個数はＬＥＤの故障前と故障後とで変化しないため、映像表示デバイス３は、輝度を変化させることなく、スクリーン５に映像を投射することができる。また、赤色光源部２０と緑色光源部３０と青色光源部４０の輝度比にも変化がないため、映像表示デバイス３は、色度についても変化させることなく、スクリーン５に映像を投射することができる。
【００３５】
通常モードおよび輝度優先モードの場合、例えば、光源部２０，３０，４０を構成する６個のＬＥＤは、それぞれ４個同時点灯および５個同時点灯となるように可変制御され、省電力モードと同様に順次、時分割で発光するよう制御される。このように点灯するＬＥＤの個数を可変制御することにより、スクリーン５に投射される映像の輝度を制御できる。この場合、光源部２０，３０，４０を構成するすべてのＬＥＤの経時変化による輝度低下が等しいため、例えば、輝度優先モードから省電力モードに切り替えることにより同時点灯するＬＥＤの個数が変更されても映像の輝度むら等が発生しない。
【００３６】
また、緑色光源部３０と青色光源部４０のＬＥＤが故障した場合についても、同様の制御が行われることによって、故障前と故障後とで、輝度および色度を変化させることなく、スクリーン５に映像を投射することができる。
【００３７】
以上のように、実施の形態に係る投射型映像表示装置では、光源制御部７は、光源部２０，３０，４０の時分割駆動の各駆動において、６個のＬＥＤのうち３個のＬＥＤのみを点灯させるため、光源部２０，３０，４０のＬＥＤの故障前と故障後において、点灯させるＬＥＤの個数が変わらないようにできる。これにより、光源部２０，３０，４０のＬＥＤが故障した場合でも、ＬＥＤの故障前と故障後における映像の色度・輝度の変化を抑制することができる。
【００３８】
予めＬＥＤアレイにおいて決められた位置のＬＥＤのみを点灯させると、スクリーン５に投射される映像において点灯しているＬＥＤに相当する部分が明るくなり、また、消灯しているＬＥＤに相当する部分が暗くなるため、映像において輝度むらが生じるが、光源制御部７は、３個のＬＥＤが６個のＬＥＤに渡って順次に巡回するように、時分割駆動の各駆動における３個のＬＥＤの点灯を制御するため、映像の輝度むらが発生しないうえ、光源部２０，３０，４０の長寿命化も期待できる。
【００３９】
ＬＥＤは時分割で順次点灯しているため、各ＬＥＤの経時劣化による輝度低下が等しくなり、また、光源制御部７は、点灯させるＬＥＤの個数を可変制御することにより、スクリーン５に投射される映像の輝度を制御するため、モードを切換えてもＬＥＤの輝度低下が一様であり、映像の輝度むらが発生しない。
【００４０】
光源制御部７は、故障検出部がＬＥＤの故障を検出した場合、６個のＬＥＤから故障した１個のＬＥＤを除いた５個のＬＥＤのうち３個のＬＥＤのみを点灯させるように制御するため、同時に点灯しているＬＥＤの個数は、ＬＥＤの故障前と故障後とで変化しないことから、輝度を変化させることなく、スクリーン５に映像を投影できる。また、赤色光源部２０と緑色光源部３０と青色光源部４０との間の輝度比も変化しないため、映像の色度についても変化させることなく、スクリーン５に映像を投影できる。
【００４１】
ＬＥＤ故障後にこれまで点灯させていないＬＥＤを点灯させた場合、点灯させたそれぞれのＬＥＤの輝度にバラつきが発生するが、光源制御部７は、３個のＬＥＤが５個のＬＥＤに渡って順次に巡回するように、時分割駆動の各駆動における３個のＬＥＤの点灯を制御するため、ＬＥＤにおける経時劣化による輝度低下は一様になり、ＬＥＤが故障した場合の色度・輝度の変化を抑制できる。
【００４２】
また、本発明は、投射型映像表示装置を複数台組み合わせて成るマルチビジョン投射型映像表示装置において、特に有効である。マルチビジョン投射型映像表示装置では、ある投射型映像表示装置の輝度低下や色度変化は画面の一体感や画面間の自然なつながりを損なうことになる。本発明によると、マルチビジョン投射型映像表示装置の１つもしくは複数の投射型映像表示装置において、ＬＥＤが故障した際も上記の動作をすることによって、故障の前後でスクリーン輝度および色度に変化がなく、マルチビジョン投射型映像表示装置の画面の一体感や画面間の自然なつながりを損なうことがない。
【００４３】
本実施の形態では、光源部２０，３０，４０は、それぞれ６個のＬＥＤで構成されるとしたが、そのＬＥＤの個数に限定されることはない。また、実施の形態では、６個のＬＥＤそれぞれに定電流回路を設けたが、ＬＥＤをいくつかにグループ分けして、１つの定電流回路で、複数のＬＥＤを駆動し、グループごとに点灯タイミングを制御することとしてもよい。
【００４４】
なお、本発明は、その発明の範囲内において、実施の形態を適宜、変形、省略することが可能である。
【符号の説明】
【００４５】
３  映像表示デバイス、５  スクリーン、７  光源制御部、１０  制御処理部、２０  赤色光源部、２１〜２６  Ｒ−ＬＥＤ、３０  緑色光源部、３１〜３６  Ｇ−ＬＥＤ、４０  青色光源部、４１〜４６  Ｂ−ＬＥＤ、６１〜６６  Ｒ電圧検出部。
【図１】
2013167776.tif 000003
【図２】
2013167776.tif 000004
【図３】
2013167776.tif 000005
【図４】
2013167776.tif 000006
【図５】
2013167776.tif 000007
【図６】
2013167776.tif 000008
【図７】
2013167776.tif 000009